(57)【要約】【課題】印刷物が封筒に封入封緘され排出される場合において、ユーザ認証処理負担を軽減することを可能とする印刷装置を提供する。【解決手段】処理対象の印刷ジョブに、印刷後の印刷用紙を封筒に封入封緘することを指定する封入封緘指定が有るか否かを判定する判定部１７ａと、判定部１７ａにより封入封緘指定が有ると判定されたことを以て、印刷処理を開始させる所定の条件が充足されたと判断し、印刷処理を開始する制御部１７と、を備える。【選択図】図２
2015011410.tif 000002
【特許請求の範囲】
【請求項１】
封入封緘装置に接続され、所定の条件を充足することで印刷処理を開始するユーザ認証機能を備える印刷装置であって、
処理対象の印刷ジョブに、印刷後の印刷用紙を封筒に封入封緘することを指定する封入封緘指定が有るか否かを判定する判定部と、
前記判定部により前記封入封緘指定が有ると判定されたことを以て前記所定の条件が充足されたと判断し、前記印刷処理を開始する制御部と、
を備える、
ことを特徴とする印刷装置。
【請求項２】
前記判定部はさらに、前記封筒に封入する印刷用紙における、前記印刷用紙を前記封筒に封入する場合に、前記封筒の内側面と接する領域である外側印刷面領域にオブジェクトデータが配置されているか否かを判定し、
前記制御部は、前記判定部により前記外側印刷面領域にオブジェクトデータが配置されないと判定されたことを以て前記所定の条件が充足されたと判断する、
ことを特徴とする請求項１に記載の印刷装置。
【請求項３】
前記印刷装置は、バリアブル印刷に対応しており、
前記特定された前記外側印刷面領域に配置されるオブジェクトデータの中から、可変データを抽出する抽出部を更に備え、
前記制御部は、前記抽出部により抽出された可変データが前記外側印刷面領域に配置されないことを以て前記所定の条件が充足されたと判断する、
ことを特徴とする請求項２に記載の印刷装置。
【発明の詳細な説明】
【技術分野】
【０００１】
本発明は、印刷装置に関する。
【背景技術】
【０００２】
近年、封筒と内容物の印刷から内容物を折って封筒に封入封緘するまでの処理を行うインライン型の印刷装置が利用されはじめている。
【０００３】
また、印刷装置の中には、情報漏洩の防止のため、ユーザ認証が印刷装置で行われた後に印刷処理を開始するというユーザ認証機能を備える印刷装置もある。
【０００４】
従来のユーザ認証機能を備える印刷装置では、認証設定が有効の場合には、印刷物の内容に係らず、印刷処理を開始されるために、ユーザは、印刷装置においてユーザ認証を行う必要がある。
【０００５】
したがって、印刷物の内容に個人情報などの機密情報が含まれていない場合であっても、ユーザは、画一的にユーザ認証を行う必要があることから、ユーザの利便性が損なわれ、更に、生産性の低下の原因となっている。
【０００６】
この画一的な認証処理負担からユーザを解放する方法が、例えば、特許文献１で提案されている。特許文献１で提案されている方法は、ユーザがモノクロ出力モードを選択した場合には、ユーザ認証を行うことなく、画像形成処理を開始し、ユーザがカラー出力モードを選択した場合には、ユーザ認証を必要とする制御を行うものである。
【先行技術文献】
【特許文献】
【０００７】
【特許文献１】特開２００４−２５２６０８号公報
【発明の概要】
【発明が解決しようとする課題】
【０００８】
しかしながら、特許文献１で提案されている方法では、印刷物が封筒に封入封緘され排出される場合については一切考慮されていない。
【０００９】
上記問題点に鑑み、本発明では、印刷物が封筒に封入封緘され排出される場合において、ユーザ認証処理負担を軽減することを可能とする印刷装置を提供することを課題とする。
【課題を解決するための手段】
【００１０】
請求項１に係る印刷装置は、
封入封緘装置に接続され、所定の条件を充足することで印刷処理を開始するユーザ認証機能を備える印刷装置であって、
処理対象の印刷ジョブに、印刷後の印刷用紙を封筒に封入封緘することを指定する封入封緘指定が有るか否かを判定する判定部と、
前記判定部により前記封入封緘指定が有ると判定されたことを以て前記所定の条件が充足されたと判断し、前記印刷処理を開始する制御部と、
を備える、
ことを特徴としている。
【００１１】
請求項２に係る印刷装置は、請求項１に係る印刷装置において、
前記判定部はさらに、前記封筒に封入する印刷用紙における、前記印刷用紙を前記封筒に封入する場合に、前記封筒の内側面と接する領域である外側印刷面領域にオブジェクトデータが配置されているか否かを判定し、
前記制御部は、前記判定部により前記外側印刷面領域にオブジェクトデータが配置されないと判定されたことを以て前記所定の条件が充足されたと判断する、
ことを特徴としている。
【００１２】
請求項３に係る印刷装置は、請求項２に係る印刷装置において、
前記印刷装置は、バリアブル印刷に対応しており、
前記特定された前記外側印刷面領域に配置されるオブジェクトデータの中から、可変データを抽出する抽出部を更に備え、
前記制御部は、前記抽出部により抽出された可変データが前記外側印刷面領域に配置されないことを以て前記所定の条件が充足されたと判断する、
ことを特徴としている。
【発明の効果】
【００１３】
請求項１に係る印刷装置によれば、印刷装置は、処理対象のジョブデータに封入封緘指定が含まれているか否かを判定し、封入封緘指定が含まれている場合、印刷処理を開始する。このように構成することで、ユーザ認証処理負担を軽減することが可能となる。これにより、ユーザの利便性を向上させることが可能となると共に、不必要なユーザ認証を省くことが可能となることから、ジョブデータの出力から結果物を得るまでの処理時間を短縮することが可能となり、生産性を高めることが可能となる。
【００１４】
請求項２に係る印刷装置によれば、封入封緘指定が有る場合に、封筒に印刷用紙を封入した際に封筒の内側面と接する領域である外側印刷面領域にオブジェクトデータが配置されない場合に、印刷処理を開始する。このように構成することで、情報漏洩の防止を図りつつ、ユーザ認証処理負担を軽減することが可能となる。
【００１５】
請求項３に係る印刷装置によれば、外側印刷面領域にオブジェクトデータが配置され、処理対象のジョブデータがバリアブル印刷に関するジョブデータの場合に、外側印刷面領域に配置されるオブジェクトデータの中から、可変データを抽出し、可変データが抽出されなかった場合には、印刷処理を開始する。このように構成することで、機密情報に該当する可能性が極めて低い定型データのみが外側印刷面領域に配置される場合には、ユーザ認証を行うことなく、印刷処理を開始することから、ユーザ認証処理負担を軽減させ、ユーザの利便性を更に向上させることが可能となる。また、不必要なユーザ認証を省くことが可能となることから、ジョブデータの出力から結果物を得るまでの処理時間を短縮することが可能となり、生産性を更に高めることが可能となる。
【図面の簡単な説明】
【００１６】
【図１】実施形態１における印刷システムの構成例を示す図である。
【図２】実施形態１における印刷システムを構成する印刷装置の構成例を示す機能ブロック図である。
【図３】実施形態１における管理テーブルの例を示す図である。
【図４】図４ａ乃至４ｄは、いずれも、印刷用紙の分割領域を説明するための図である。
【図５】実施形態１における認証管理テーブルの例を示す図である。
【図６】実施形態１における認証設定制御処理のフローを説明するためのフローチャートの例の一部である。
【図７】実施形態１における認証設定制御処理のフローを説明するためのフローチャートの例の他の一部である。
【図８】図８ａと図８ｂは、それぞれ、実施形態１における印刷物（印刷後の印刷用紙）の表面と裏面の例を示す図である。
【図９】図９ａと図９ｂは、それぞれ、実施形態１における印刷物（印刷後の印刷用紙）の表面と裏面の別の例を示す図である。
【図１０】実施形態２における印刷システムを構成する印刷装置の構成例を示す機能ブロック図である。
【図１１】実施形態２における認証設定制御処理のフローを説明するためのフローチャートの例の一部である。
【図１２】実施形態３における印刷システムを構成する印刷装置の構成例を示す機能ブロック図である。
【図１３】実施形態３における認証設定制御処理のフローを説明するためのフローチャートの例の一部である。
【発明を実施するための形態】
【００１７】
以下に本発明の実施の形態について図面を参照しながら詳細に説明する。
【００１８】
（実施形態１）
図１は、本実施形態１の印刷システム１００の構成例を示す図である。印刷システム１００は、図１に示すように、画像形成装置である印刷装置１０と、一又は複数の情報端末装置２０と、封入封緘装置３０と、を含み、印刷装置１０と情報端末装置２０は、ネットワークＮＷを介して相互に通信可能に接続されている。
【００１９】
封入封緘装置３０は、印刷装置１０に接続されており、印刷装置１０で印刷され、搬送された印刷物（封筒Ｆや印刷用紙ＰＰ）を受け入れて処理し、封筒Ｆに印刷用紙ＰＰを封入し封緘する装置である。
【００２０】
なお、本実施形態１においては、封入封緘装置３０による封筒Ｆへの封入封緘処理が必要な場合には、封入封緘指定が印刷ジョブ（以下、ジョブデータという）に含まれるものとして、以下説明する。
【００２１】
図２は、本実施形態１における印刷システム１００を構成する印刷装置１０の構成例を示す機能ブロック図である。印刷装置１０は、例えば、情報端末装置２０により出力されるジョブデータを処理して、印刷用紙ＰＰなどの印刷媒体上に印刷して出力する装置であり、図２に示すように、通信部１１と、記憶部１２と、表示部１３と、操作部１４と、プリンタ部１５と、認証情報取得部１６と、制御部１７と、を備えて構成されている。
【００２２】
通信部１１は、通信モジュールなどで構成され、ネットワークＮＷを介して、情報端末装置２０との間で通信を行う。例えば、通信部１１は、情報端末装置２０により出力されるジョブデータを受信する。
【００２３】
記憶部１２は、ＲＡＭ（Random Access Memory）、ＲＯＭ（Read Only Memory）、不揮発性メモリなどで構成され、制御部１７を構成するＣＰＵ（Central Processing Unit）のワークエリア、印刷装置１０全体を制御するための動作プログラムなどの各種プログラムを格納するプログラムエリア、詳しくは後述の管理テーブルＴ１、認証管理テーブルＴ２などの各種データを格納するデータエリアとして機能する。
【００２４】
ここで、図３と図４を参照して、記憶部１２のデータエリアに格納されている管理テーブルＴ１について説明する。図３は、本実施形態１における管理テーブルＴ１の例を示す図である。図４ａ乃至４ｄは、いずれも、印刷用紙ＰＰの分割領域を説明するための図である。
【００２５】
印刷用紙ＰＰの分割領域は、印刷用紙ＰＰが、指定されている折り種別（例えば、二つ折り、外三つ折りなど）に従って、折られた際に、折り目線Ｌにより分割される領域を意味する。例えば、二つ折りの場合、図４ａと図４ｂ示すように、印刷用紙ＰＰの表面と裏面は、折り目線Ｌにより、それぞれ、２つの領域に分割され、本実施形態１においては、表面に対して、印刷用紙ＰＰの上端ＵＥ側の領域を、領域２Ａ−１とし、下端ＬＥ側の領域を、領域２Ａ−２とする。また、裏面に対して、印刷用紙ＰＰの上端ＵＥ側の領域を、領域２Ｂ−１とし、下端ＬＥ側の領域を、領域２Ｂ−２とする。
【００２６】
また、例えば、三つ折りの場合、図４ｃと図４ｄに示すように、印刷用紙ＰＰの表面と裏面は、折り目線Ｌにより、それぞれ、３つの領域に分割され、本実施形態１においては、表面に対して、印刷用紙ＰＰの上端ＵＥ側の領域から順に、領域３Ａ−１、領域３Ａ−２、領域３Ａ−３とする。また、裏面に対して、印刷用紙ＰＰの上端ＵＥ側から順に、領域３Ｂ−１、領域３Ｂ−２、領域３Ｂ−３とする。
【００２７】
同様に、四つ折りの場合は、表面に対して、印刷用紙ＰＰの上端ＵＥ側の領域から順に、領域４Ａ−１、領域４Ａ−２、領域４Ａ−３、領域４Ａ−４とし、裏面に対して、印刷用紙ＰＰの上端ＵＥ側から順に、領域４Ｂ−１、領域４Ｂ−２、領域４Ｂ−３、領域４Ｂ−４とする。なお、本実施形態１においては、片面印刷する際の印刷面を、印刷用紙ＰＰの表面とする。
【００２８】
管理テーブルＴ１は、例えば、詳しくは後述の認証設定制御処理において、詳しくは後述の外側印刷面領域特定部１７ｆが「外側印刷面領域」を特定する際などに参照されるテーブルであり、図３に示すように、「折り種別」ごとに、「印刷面種別」と「フラグ」と「外側印刷面領域」とが対応付けられているテーブルである。
【００２９】
「折り種別」は、印刷用紙ＰＰの折り方の種別を示すものであり、例えば、内三つ折り、外三つ折りなどがある。この「折り種別」を特定するための情報は、一般的には、ジョブデータに含まれている。なお、管理テーブルＴ１において、「折り種別」として設定される印刷用紙ＰＰの折り方の種別は、封入封緘装置３０が対応可能な折り方の種別であればよく、例えば、封入封緘装置３０が対応可能な印刷用紙ＰＰの折り方の種別が、内三つ折りのみの場合には、内三つ折りのみを設定すればよい。
【００３０】
「印刷面種別」は、印刷する面を指定するものであり、片面印刷と両面印刷とがある。この「印刷面種別」を特定するための情報は、一般的には、ジョブデータに含まれている。
【００３１】
「フラグ」は、対応する「折り種別」と「印刷面種別」との組合せにおいて、「外側印刷面領域」が存在するか否かを示すフラグである。本実施形態１においては、フラグ値“０”は、「外側印刷面領域」が存在しないことを示し、一方、フラグ値“１”は、「外側印刷面領域」が存在することを示している。
【００３２】
「外側印刷面領域」は、対応する「折り種別」に従って印刷用紙ＰＰを折った際に外側になる印刷面の領域である。なお、フラグ値“０”に対応する欄は、「外側印刷面領域」が存在しないことから、空欄としている。
【００３３】
例えば、図３を参照して、「折り種別」が、印刷用紙ＰＰの表面を内側にして二つに折る二つ折りであり、「印刷面種別」が片面印刷の場合には、印刷面ではない裏面側の領域２Ｂ−１と領域２Ｂ−２が、印刷用紙ＰＰを折った際の外側の領域となる。したがって、この場合には、「外側印刷面領域」は存在しないことから、対応する「フラグ」欄にフラグ値“０”を設定する。
【００３４】
また、例えば、「折り種別」が、印刷用紙ＰＰの表面を内側にして二つに折る二つ折りであり、「印刷面種別」が両面印刷の場合には、印刷面である裏面側の領域が外側になることから、対応する「フラグ」欄にフラグ値“１”を設定する。そして、封筒Ｆに封入する印刷用紙ＰＰの枚数が一枚の場合には、対応する「外側印刷面領域」欄に、領域２Ｂ−１と領域２Ｂ−２とを設定する。封筒Ｆに封入する印刷用紙ＰＰの枚数が複数枚の場合には、一番後ろ（最後）の印刷用紙ＰＰの裏面の領域が「外側印刷面領域」となることから、「最後」欄の対応する「外側印刷面領域」欄に、領域２Ｂ−１と領域２Ｂ−２とを設定する。なお、本実施形態１においては、封筒Ｆに封入する印刷用紙ＰＰの枚数が複数枚の場合は、印刷用紙ＰＰを重ねた後に一緒に折られるものとする。
【００３５】
また、例えば、「折り種別」が、印刷用紙ＰＰの表面が内側になるように三つ折りにする内三つ折りであり、「印刷面種別」が両面印刷の場合には、印刷面である裏面側の領域が外側になることから、対応する「フラグ」欄にフラグ値“１”を設定する。この場合、折り方よって、領域３Ｂ−１と領域３Ｂ−２との組合せ、又は、領域３Ｂ−２と領域３Ｂ−３との組合せが、「外側印刷面領域」の組合せとなるが、本実施形態１においては、領域３Ｂ−１と領域３Ｂ−２とが「外側印刷面領域」となるものとする。そのため、封筒Ｆに封入する印刷用紙ＰＰの枚数が一枚の場合には、対応する「外側印刷面領域」欄に、領域３Ｂ−１と領域３Ｂ−２とを設定する。封筒Ｆに封入する印刷用紙ＰＰの枚数が複数枚の場合には、一番後ろ（最後）の印刷用紙ＰＰの裏面の領域が「外側印刷面領域」となることから、「最後」欄の対応する「外側印刷面領域」欄に、領域３Ｂ−１と領域３Ｂ−２とを設定する。
【００３６】
また、例えば、「折り種別」が、印刷用紙ＰＰを蛇腹状に三つ折りにする外三つ折りであり、「印刷面種別」が片面印刷の場合には、印刷面である表面側の領域が外側になることから、対応する「フラグ」欄にフラグ値“１”を設定する。この場合、折り方によって、領域３Ａ−１、又は、領域３Ａ−３が、「外側印刷面領域」となり得るが、本実施形態１においては、領域３Ａ−１が「外側印刷面領域」となるものとする。そのため、封筒Ｆに封入する印刷用紙ＰＰの枚数が一枚の場合には、対応する「外側印刷面領域」欄に、領域３Ａ−１を設定する。封筒Ｆに封入する印刷用紙ＰＰの枚数が複数枚の場合には、一番前（最初）の印刷用紙ＰＰの表面の領域が「外側印刷面領域」となることから、「最初」欄の対応する「外側印刷面領域」欄に、領域３Ａ−１を設定する。
【００３７】
また、例えば、「折り種別」が、印刷用紙ＰＰを蛇腹状に三つ折りにする外三つ折りであり、「印刷面種別」が両面印刷の場合には、印刷面の領域が外側になることから、対応する「フラグ」欄にフラグ値“１”を設定する。この場合、折り方によって、領域３Ａ−１と領域３Ｂ−３との組合せ、又は、領域３Ａ−３と領域３Ｂ−１との組合せが、「外側印刷面領域」の組合せとなるが、本実施形態１においては、領域３Ａ−１と領域３Ｂ−３とが「外側印刷面領域」となるものとする。そのため、封筒Ｆに封入する印刷用紙ＰＰの枚数が一枚の場合には、対応する「外側印刷面領域」欄に、領域３Ａ−１と領域３Ｂ−３とを設定する。封筒Ｆに封入する印刷用紙ＰＰの枚数が複数枚の場合には、一番前（最初）の印刷用紙ＰＰの領域３Ａ−１と、一番後ろ（最後）の印刷用紙ＰＰの領域３Ｂ−３とが「外側印刷面領域」となることから、「最初」欄の対応する「外側印刷面領域」欄に、領域３Ａ−１を設定し、「最後」欄の対応する「外側印刷面領域」欄に、領域３Ｂ−３を設定する。
【００３８】
また、例えば、「折り種別」が、印刷用紙ＰＰを２回二つ折にする内四つ折りであり、「印刷面種別」が両面印刷の場合には、印刷面の領域が外側になることから、対応する「フラグ」欄にフラグ値“１”を設定する。この場合、領域４Ｂ−１と領域４Ｂ−２との組合せ、又は、領域４Ｂ−３と領域４Ｂ−４との組合せが、「外側印刷面領域」の組合せとなるが、本実施形態１においては、領域４Ｂ−１と領域４Ｂ−２とが「外側印刷面領域」となるものとする。そのため、封筒Ｆに封入する印刷用紙ＰＰの枚数が一枚の場合には、対応する「外側印刷面領域」欄に、領域４Ｂ−１と領域４Ｂ−２とを設定する。封筒Ｆに封入する印刷用紙ＰＰの枚数が複数枚の場合には、一番後ろ（最後）の印刷用紙ＰＰの裏面の領域が「外側印刷面領域」となることから、「最後」欄の対応する「外側印刷面領域」欄に、領域４Ｂ−１と領域４Ｂ−２とを設定する。
【００３９】
なお、印刷用紙ＰＰを折った際にどの領域が外側になるかは、上述したように、封入封緘装置３０が備える折り機構の折り方などにより変わるが、それに応じて管理テーブルＴ１の「外側印刷面領域」を設定すればよい。例えば、二つ折りの際に表面を内側にして折るか外側にして折るかにより「外側印刷面領域」が変わる。また、例えば、封筒Ｆに封入する印刷用紙ＰＰが複数枚の場合において、印刷用紙ＰＰを別々に折った後に重ねて封筒Ｆに封入する場合と、印刷用紙ＰＰを重ねた後に一緒に折ったものを封筒Ｆに封入する場合とでは、やはり、「外側印刷面領域」が変わる。
【００４０】
次に、図５を参照して、記憶部１２のデータエリアに格納されている認証管理テーブルＴ２について説明する。図５は、本実施形態１における認証管理テーブルＴ２の例を示す図である。認証管理テーブルＴ２は、ユーザ認証の設定の状態を管理するためのテーブルであり、図５に示すように、「一括認証設定」と「個別認証設定」とで構成されているテーブルである。
【００４１】
「一括認証設定」は、印刷装置１０に接続されている情報端末装置２０を利用する全ユーザが、印刷処理を実行する際のユーザ認証を必要とするか否かの設定であり、「一括認証フラグ」のフラグ値“０”は、全ユーザがユーザ認証を必要としないことを示し、「一括認証フラグ」のフラグ値“１”は、全ユーザがユーザ認証を必要とすることを示す。
【００４２】
「個別認証設定」は、印刷装置１０に接続されている情報端末装置２０を利用するユーザごとの、印刷処理を実行する際のユーザ認証を必要とするか否かの設定であり、「ユーザＩＤ」ごとに、「個別認証フラグ」が対応付けられている。本実施形態１においては、「個別認証フラグ」のフラグ値“０”は、対応するユーザはユーザ認証を必要としないことを示し、「個別認証フラグ」のフラグ値“１”は、対応するユーザはユーザ認証を必要とすることを示す。
【００４３】
なお、本実施形態１においては、「一括認証設定」の「一括認証フラグ」のフラグ値が“１”の場合は、「一括認証設定」は「個別認証設定」より優先され、「一括認証設定」の「一括認証フラグ」のフラグ値が“０”の場合は、「個別認証設定」は「一括認証設定」より優先されるものとする。また、これらの設定は、印刷装置１０の操作部１４を操作することで設定可能としている。
【００４４】
例えば、現時点における認証設定が、図５に示す認証管理テーブルＴ２の状態であるとすると、「一括認証フラグ」のフラグ値が“０”となっていることから、「個別認証設定」が優先され、例えば、ユーザＩＤがＡ２のユーザは、印刷処理を開始する前にユーザ認証を行う必要があることとなる。
【００４５】
図２に戻り、表示部１３は、ＬＣＤ（Liquid Crystal Display）や有機ＥＬ（Electro-Luminescence）などの表示装置などで構成され、例えば、画像データや各種機能ボタンなどを表示画面上に表示する。また、例えば、表示部１３は、ユーザ認証時にその結果を、表示画面上に表示し、ユーザ認証に失敗した場合は、再度ユーザ認証手続きを行うよう示すメッセージを表示画面上に表示する。
【００４６】
操作部１４は、テンキ−や表示部１３の表示画面上に表示されるタッチパネルなどで構成され、ユーザは、操作部１４を操作して、印刷装置１０への指示を入力することで、所望の処理を実行させることが可能である。例えば、ユーザは、操作部１４を操作して、ユーザ認証が必要とされる際に、ユーザＩＤや暗証番号などを入力したりすることが可能である。
【００４７】
プリンタ部１５は、プリンタエンジンなどで構成され、図示しないＲＩＰ処理部によりラスタデータが生成されると、プリンタ部１５は、ページ毎にレイアウト処理を実行し、レイアウト処理後のページデータに対して、例えば、キャリブレーションなどの画像処理を施した後に、印刷用紙ＰＰなどの印刷媒体に印刷し出力する。そして、封入封緘指定が有る場合には、印刷された印刷用紙ＰＰは封入封緘装置３０の折り機構で折られ、封筒Ｆに封入封緘される。なお、認証設定が有効の場合には、認証処理部１６により認証処理の結果が認証可の場合に、プリンタ部１５は印刷処理を開始する。
【００４８】
認証情報取得部１６は、例えば、非接触型カードリーダなどで構成され、ユーザ認証時に、ユーザがかざしたＩＣカードからユーザ認証に必要な情報である認証情報を取得する。
【００４９】
制御部１７は、ＣＰＵなどで構成され、記憶部１２のプログラムエリアに格納されている動作プログラムを実行して、図２に示すように、判定部１７ａと、折り種別特定部１７ｂと、印刷面種別特定部１７ｃと、フラグ特定部１７ｄと、封入枚数特定部１７ｅと、外側印刷面領域特定部１７ｆと、設定制御部１７ｇと、情報生成部１７ｈと、認証処理部１７ｉとしての機能を実現すると共に、印刷装置１０全体を制御する制御処理や認証設定制御処理などの処理を実行する。
【００５０】
判定部１７ａは、ジョブデータを受信したか否かを判定する。そして、ジョブデータを受信した場合には、判定部１７ａは、更に、受信したジョブデータに封入封緘指定が含まれているか否かを判定する。
【００５１】
また、判定部１７ａは、認証管理テーブルＴ２を参照して、認証設定が有効か否かを判定する。より具体的には、判定部１７ａは、認証管理テーブルＴ２の「一括認証設定」欄を参照して、「一括認証フラグ」のフラグ値が“１”の場合は、認証設定が有効であると判定する。また、判定部１７ａは、「一括認証フラグ」のフラグ値が“０”の場合は、更に、処理対象のジョブデータに含まれるユーザＩＤに対応する「個別認証フラグ」のフラグ値を参照して、「個別認証フラグ」のフラグ値が“１”の場合は、認証設定が有効であると判定し、「個別認証フラグ」のフラグ値が“０”の場合は、認証設定が無効であると判定する。
【００５２】
また、判定部１７ａは、「外側印刷面領域」が存在するか否かを判定する。より具体的には、判定部１７ａは、フラグ特定部１７ｄにより特定された「フラグ」のフラグ値が“１”の場合には、「外側印刷面領域」が存在すると判定し、特定された「フラグ」のフラグ値が“０”の場合には、「外側印刷面領域」が存在しないと判定する。
【００５３】
また、判定部１７ａは、「外側印刷面領域」にオブジェクトデータが配置されるか否かを判定する。より具体的には、判定部１７ａは、ジョブデータに含まれる、文字データや画像データなどのオブジェクトデータの配置を示すレイアウト情報に基づいて、外側印刷面領域特定部１７ｆにより特定された「外側印刷面領域」に、配置されるオブジェクトデータが有るか否かを判定する。
【００５４】
また、判定部１７ａは、ユーザ認証が行われたか否かを判定する。そして、ユーザ認証が行われた場合は、判定部１７ａは、更に、認証処理部１７ｉにより実行される認証処理の結果が認証可か否かを判定する。例えば、後述の指示情報を受信した情報端末装置２０のユーザが、ＩＣカードを認証情報取得部１６にかざして、その際に認証情報取得部１６が認証情報を取得した場合に、判定部１７ａは、ユーザ認証が行われたと判定する。
【００５５】
折り種別特定部１７ｂは、ジョブデータを解析し、ジョブデータに含まれる「折り種別」を特定するための情報に基づいて、印刷用紙ＰＰの折り方を指定する「折り種別」を特定する。
【００５６】
印刷面種別特定部１７ｃは、ジョブデータを解析し、ジョブデータに含まれる「印刷面種別」を特定するための情報に基づいて、印刷面を指定する「印刷面種別」を特定する。
【００５７】
フラグ特定部１７ｄは、管理テーブルＴ１の「フラグ」欄を検索して、折り種別特定部１７ｂにより特定された「折り種別」と印刷面種別特定部１７ｃにより特定された「印刷面種別」との組合せに対応する「フラグ」を特定する。
【００５８】
封入枚数特定部１７ｅは、「外側印刷面領域」が存在する場合には、ジョブデータを解析し、ジョブデータに含まれる「印刷面種別」を特定するための情報やレイアウト情報などに基づいて、封筒Ｆに封入される印刷用紙ＰＰの枚数を特定する。例えば、「印刷面種別」が両面印刷であり、レイアウト情報に５ページ分のレイアウトを指定する情報が含まれている場合には、封入枚数特定部１７ｅは、封入枚数として、三枚を特定する。
【００５９】
外側印刷面領域特定部１７ｆは、封入枚数特定部１７ｅにより特定された封入枚数が一枚である場合には、管理テーブルＴ１の「一枚」欄を検索して、折り種別特定部１７ｂにより特定された「折り種別」と印刷面種別特定部１７ｃにより特定された「印刷面種別」との組合せに対応する「外側印刷面領域」を特定する。
【００６０】
一方、封入枚数特定部１７ｅにより特定された封入枚数が複数枚である場合には、外側印刷面領域特定部１７ｆは、管理テーブルＴ１の「複数枚」欄を検索して、折り種別特定部１７ｂにより特定された「折り種別」と印刷面種別特定部１７ｃにより特定された「印刷面種別」との組合せに対応する「外側印刷面領域」を特定する。
【００６１】
設定制御部１７ｇは、判定部１７ａの判定結果に応じて、処理対象のジョブデータにおける、ユーザ認証の有効設定を解除して設定を無効にしたり、ユーザ認証の無効設定を有効の設定にしたりする。例えば、判定部１７ａにより、「外側印刷面領域」は存在しないと判定され、その際の認証設定が有効の場合に、設定制御部１７ｇは、処理対象のジョブデータにおいては、有効設定を解除して、設定を無効にする。
【００６２】
情報生成部１７ｈは、ユーザ認証が必要な場合に、ユーザ認証を行うよう指示する指示情報を生成し、通信部１１を介して、生成した指示情報を処理対象のジョブデータを出力した情報端末装置２０へ送信する。指示情報を受信した情報端末装置２０は、例えば、表示画面上に、ユーザ認証を行うよう示すメッセージを表示する。該情報端末装置２０のユーザは、本メッセージに従って、印刷装置１０においてユーザ認証手続きを行う。
【００６３】
認証処理部１７ｉは、認証情報取得部１６により取得された認証情報、又は、ユーザが操作部１４を操作して入力した情報に基づいて、認証処理を実行する。
【００６４】
次に、図６と図７を参照して、本実施形態１における認証設定制御処理について説明する。図６と図７は、それぞれ、本実施形態１における認証設定制御処理のフローを説明するためのフローチャートの例の一部と、他の一部である。本認証設定制御処理は、情報端末装置２０により出力されるジョブデータの受信をトリガとして開始される。
【００６５】
判定部１７ａは、ジョブデータを受信したか否かを判定する（ステップＳ００１）。判定部１７ａにより、ジョブデータを受信していないと判定された場合には（ステップＳ００１；ＮＯ）、処理はステップＳ００１の処理を繰り返し、ジョブデータの受信を待つ。
【００６６】
一方、ジョブデータを受信したと判定した場合には（ステップＳ００１；ＹＥＳ）、判定部１７ａは、更に、受信したジョブデータに封入封緘指定が含まれているか否かを判定する（ステップＳ００２）。封入封緘指定が含まれていないと判定した場合には（ステップＳ００２；ＮＯ）、判定部１７ａは、更に、認証管理テーブルＴ２を参照して、認証設定は有効か否かを判定する（ステップＳ２０１）。
【００６７】
判定部１７ａにより、認証設定は有効であると判定された場合には（ステップＳ２０１；ＹＥＳ）、処理は後述のステップＳ０１１の処理へと進み、一方、認証設定は無効であると判定された場合には（ステップＳ２０１；ＮＯ）、プリンタ部１５は印刷処理を開始する（ステップＳ０１５）。そして、印刷された印刷用紙ＰＰは、封入封緘装置３０により封筒Ｆに封入封緘されることなく、トレイ上に排出される。
【００６８】
一方、ステップＳ００２の処理において、判定部１７ａにより、封入封緘指定が含まれていると判定された場合には（ステップＳ００２；ＹＥＳ）、折り種別特定部１７ｂは、受信したジョブデータを解析し、印刷用紙ＰＰの折り方を指定する「折り種別」を特定し（ステップＳ００３）、印刷面種別特定部１７ｃは、印刷面を指定する「印刷面種別」を特定する（ステップＳ００４）。
【００６９】
そして、フラグ特定部１７ｄは、管理テーブルＴ１を参照して、折り種別特定部１７ｂにより特定された「折り種別」と印刷面種別特定部１７ｃにより特定された「印刷面種別」との組合せに対応する「フラグ」を特定する（ステップＳ００５）。
【００７０】
そして、判定部１７ａは、「外側印刷面領域」が存在するか否かを判定する（ステップＳ００６）。より具体的には、判定部１７ａは、フラグ特定部１７ｄにより特定された「フラグ」のフラグ値が“１”の場合には、「外側印刷面領域」が存在すると判定し、特定された「フラグ」のフラグ値が“０”の場合には、「外側印刷面領域」が存在しないと判定する。
【００７１】
「外側印刷面領域」は存在しないと判定した場合には（ステップＳ００６；ＮＯ）、判定部１７ａは、更に、認証管理テーブルＴ２を参照して、認証設定は有効か否かを判定する（ステップＳ３０１）。判定部１７ａにより、認証設定は無効であると判定された場合には（ステップＳ３０１；ＮＯ）、プリンタ部１５は印刷処理を開始する（ステップＳ０１５）。そして、印刷された印刷用紙ＰＰは、封入封緘装置３０により封筒Ｆに封入封緘され、印刷された印刷用紙ＰＰは封筒Ｆに封入封緘された状態でトレイ上に排出される。
【００７２】
一方、判定部１７ａにより、認証設定は有効であると判定された場合には（ステップＳ３０１；ＹＥＳ）、設定制御部１７ｇは、処理対象のジョブデータにおける認証設定を無効にし（ステップＳ３０２）、ユーザ認証が行われることなく、プリンタ部１５は印刷処理を開始する（ステップＳ０１５）。そして、印刷された印刷用紙ＰＰは、封入封緘装置３０により封筒Ｆに封入封緘され、印刷された印刷用紙ＰＰは封筒Ｆに封入封緘された状態でトレイ上に排出される。
【００７３】
一方、ステップＳ００６の処理において、判定部１７ａにより、「外側印刷面領域」が存在すると判定された場合には（ステップＳ００６；ＹＥＳ）、封入枚数特定部１７ｅは、処理対象のジョブデータを解析し、封筒Ｆに封入される印刷用紙ＰＰの枚数を特定する（ステップＳ００７）。
【００７４】
そして、外側印刷面領域特定部１７ｆは、管理テーブルＴ１を参照して、封入枚数特定部１７ｅにより特定された封入枚数に基づいて、「外側印刷面領域」を特定する（ステップＳ００８）。
【００７５】
そして、判定部１７ａは、外側印刷面領域特定部１７ｆにより特定された「外側印刷面領域」にオブジェクトデータが配置されるか否かを判定する（ステップＳ００９）。判定部１６ａにより、「外側印刷面領域」にオブジェクトデータは配置されないと判定された場合には（ステップＳ００９；ＮＯ）、処理はステップＳ３０１の処理へと進み、前述の処理を実行する。
【００７６】
一方、「外側印刷面領域」にオブジェクトデータが配置されると判定した場合には（ステップＳ００９；ＹＥＳ）、判定部１７ａは、更に、認証管理テーブルＴ２を参照して、認証設定は有効か否かを判定する（ステップＳ０１０）。判定部１７ａにより、認証設定は無効であると判定された場合には（ステップＳ０１０；ＮＯ）、設定制御部１７ｇは、処理対象のジョブデータにおける認証設定を有効にし（ステップＳ４０１）、処理は後述のステップＳ０１１の処理へと進む。
【００７７】
一方、判定部１７ａにより、認証設定は有効であると判定された場合には（ステップＳ０１０；ＹＥＳ）、処理は後述のステップＳ０１１の処理へと進む。
【００７８】
ここで、ステップＳ２０１又はステップＳ０１０の処理でＹＥＳと判定された場合、あるいは、Ｓ４０１の処理の後に、処理はステップＳ０１１の処理へと進み、情報生成部１７ｈは、ユーザ認証を行うよう指示する指示情報を生成し、通信部１１を介して、生成した指示情報を処理対象のジョブデータを出力した情報端末装置２０へ送信する（ステップＳ０１１）。指示情報を受信した情報端末装置２０は、例えば、表示画面上に、ユーザ認証を行うよう示すメッセージを表示する。
【００７９】
そして、判定部１７ａは、ユーザ認証が行われたか否かを判定する（ステップＳ０１２）。判定部１７ａにより、ユーザ認証はまだ行われていないと判定された場合には（ステップＳ０１２；ＮＯ）、処理はステップＳ０１２の処理を繰り返し、ユーザ認証が行われるのを待つ。
【００８０】
一方、判定部１７ａにより、ユーザ認証が行われたと判定された場合には（ステップＳ０１２；ＹＥＳ）、認証処理部１７ｉは、認証処理を実行し（ステップＳ０１３）、そして、判定部１７ａは、認証処理の結果が認証可か否かを判定する（ステップＳ０１４）。判定部１７ａにより、認証処理の結果が認証不可であると判定された場合には（ステップＳ０１４；ＮＯ）、表示部１３は、再度ユーザ認証を行うように示すメッセージを、表示画面上に表示し（ステップＳ５０１）、処理はステップＳ０１２の処理へと戻り、前述の処理を繰り返す。
【００８１】
一方、判定部１７ａにより、認証処理の結果が認証可であると判定された場合には（ステップＳ０１４；ＹＥＳ）、プリンタ部１５は印刷処理を開始する（ステップＳ０１５）。そして、封入封緘指定が有る場合には、印刷された印刷用紙ＰＰは、封入封緘装置３０により封筒Ｆに封入封緘され、印刷された印刷用紙ＰＰは封筒Ｆに封入封緘された状態でトレイ上に排出され、封入封緘指定が無い場合には、印刷された印刷用紙ＰＰは、封入封緘装置３０により封筒Ｆに封入封緘されることなく、トレイ上に排出される。
【００８２】
次に、図８を参照して、具体例に従って、本実施形態１における認証設定制御処理について説明する。図８（ａ）と（ｂ）は、それぞれ、本実施形態１における封筒Ｆに封入される内容物（印刷後の印刷用紙ＰＰ）の表面と裏面の例を示す図である。
【００８３】
なお、本例においては、処理対象のジョブデータに封入封緘指定が含まれているものとする。また、ジョブデータを処理し印刷用紙ＰＰに印刷すると、図８に示すようになるものとする。つまり、「印刷面種別」は両面印刷であり、封入枚数は一枚であるものとする。また、指定されている「折り種別」は外三つ折りであり、管理テーブルＴ１は、図３に示すものであるとする。また、認証設定は無効になっているものとする。
【００８４】
ジョブデータを受信すると（ステップＳ００１；ＹＥＳ）、受信したジョブデータには封入封緘指定が含まれており（ステップＳ００２；ＹＥＳ）、指定されている「折り種別」は外三つ折りであることから、折り種別特定部１７ｂ、「折り種別」として外三つ折りを特定する（ステップＳ００３）。
【００８５】
そして、「印刷面種別」は両面印刷であることから、印刷面種別特定部１７ｃは、「印刷面種別」として両面印刷を特定する（ステップＳ００４）。図３に示す管理テーブルＴ１を参照すると、外三つ折りと両面印刷との組合せに対応する「フラグ」のフラグ値は“１”である（ステップＳ００５）。従って、判定部１７ａにより、「外側印刷面領域」が存在すると判定され（ステップＳ００６；ＹＥＳ）、封入枚数は一枚であることから（ステップＳ００７）、外側印刷面領域特定部１７ｆは、図３に示す管理テーブルＴ１の「一枚」欄を検索して、外三つ折りと両面印刷との組合せに対応する「外側印刷面領域」を特定する。すなわち、外側印刷面領域特定部１７ｆは、「外側印刷面領域」として、領域３Ａ−１と領域３Ｂ−３を特定する（ステップＳ００８）。
【００８６】
図８を参照すると、領域３Ａ−１と領域３Ｂ−３のいずれの領域にもオブジェクトデータが配置され（ステップＳ００９；ＹＥＳ）、認証設定は無効であることから（ステップＳ０１０；ＮＯ）、設定制御部１７ｇは、本ジョブデータにおける認証設定を有効する（ステップＳ４０１）。
【００８７】
そして、情報生成部１７ｈは、ユーザ認証を行うよう指示する指示情報を生成し、通信部１１を介して、生成した指示情報を処理対象のジョブデータを出力した情報端末装置２０へ送信する（ステップＳ０１１）。指示情報を受信した情報端末装置２０は、例えば、表示画面上に、ユーザ認証を行うよう示すメッセージを表示する。このメッセージを見たユーザは、印刷装置１０の認証情報取得部１６にＩＣカードをかざして、ユーザ認証を行う（ステップＳ０１２；ＹＥＳ）。
【００８８】
認証処理部１７ｉは、認証情報取得部１６により取得された認証情報に基づいて、認証処理を実行し（ステップＳ０１３）、認証可と判定する（ステップＳ０１４；ＹＥＳ）。プリンタ部１５は印刷処理を開始し（ステップＳ０１５）、印刷された印刷用紙ＰＰは、封入封緘装置３０により封筒Ｆに封入封緘され、印刷された印刷用紙ＰＰは封筒Ｆに封入封緘された状態でトレイ上に排出される。
【００８９】
次に、図９を参照して、別の具体例に従って、本実施形態１における認証設定制御処理について説明する。図９（ａ）と（ｂ）は、それぞれ、本実施形態１における封筒Ｆに封入される内容物（印刷後の印刷用紙ＰＰ）の表面と裏面の別の例を示す図である。
【００９０】
なお、本例においては、処理対象のジョブデータに封入封緘指定が含まれているものとする。また、ジョブデータを処理し印刷用紙ＰＰに印刷すると、図９に示すようになるものとする。また、「印刷面種別」は両面印刷であり、封入枚数は一枚であるものとする。また、指定されている「折り種別」は内三つ折りであり、管理テーブルＴ１は、図３に示すものであるとする。また、認証設定は有効になっているものとする。
【００９１】
ジョブデータを受信すると（ステップＳ００１；ＹＥＳ）、受信したジョブデータには封入封緘指定が含まれており（ステップＳ００２；ＹＥＳ）、指定されている「折り種別」は内三つ折りであることから、折り種別特定部１７ｂ、「折り種別」として内三つ折りを特定する（ステップＳ００３）。
【００９２】
そして、「印刷面種別」は両面印刷であることから、印刷面種別特定部１７ｃは、「印刷面種別」として両面印刷を特定する（ステップＳ００４）。図３に示す管理テーブルＴ１を参照すると、内三つ折りと両面印刷との組合せに対応する「フラグ」のフラグ値は“１”である（ステップＳ００５）。従って、判定部１７ａにより、「外側印刷面領域」が存在すると判定され（ステップＳ００６；ＹＥＳ）、封入枚数は一枚であることから（ステップＳ００７）、外側印刷面領域特定部１７ｆは、図３に示す管理テーブルＴ１の「一枚」欄を検索して、内三つ折りと両面印刷との組合せに対応する「外側印刷面領域」を特定する。すなわち、外側印刷面領域特定部１７ｆは、「外側印刷面領域」として、領域３Ｂ−１と領域３Ｂ−２を特定する（ステップＳ００８）。
【００９３】
しかしながら、図９を参照すると、裏面は白紙であることから、領域３Ｂ−１と領域３Ｂ−２のいずれの領域にもオブジェクトデータは配置されない（ステップＳ００９；ＮＯ）。また、認証設定は有効であることから（ステップＳ３０１；ＹＥＳ）、設定制御部１７ｇは、本ジョブデータにおける認証設定を無効する（ステップＳ３０２）。
【００９４】
そして、ユーザ認証は行われることなく、プリンタ部１５は印刷処理を開始し（ステップＳ０１５）、印刷された印刷用紙ＰＰは、封入封緘装置３０により封筒Ｆに封入封緘され、印刷された印刷用紙ＰＰは封筒Ｆに封入封緘された状態でトレイ上に排出される。
【００９５】
また、上記実施形態１によれば、印刷装置１０は、処理対象のジョブデータに封入封緘指定が含まれているか否かを判定し、封入封緘指定が含まれている場合、認証設定が有効であっても印刷処理を開始した。このように構成することで、ユーザ認証処理負担を軽減することが可能となる。これにより、ユーザの利便性を向上させることが可能となると共に、不必要なユーザ認証を省くことが可能となることから、ジョブデータの出力から結果物を得るまでの処理時間を短縮することが可能となり、生産性を高めることが可能となる。
【００９６】
また、上記実施形態１によれば、印刷装置１０は、封入封緘指定が有る場合に、封筒Ｆに印刷用紙ＰＰを封入した際に封筒Ｆの内側面と接する領域であり、且つ、印刷面上の領域である「外側印刷面領域」を特定した。そして、印刷装置１０は、特定した「外側印刷面領域」にオブジェクトデータが配置されるか否かに応じて、ユーザ認証の設定を変更する制御を行った。このように構成することで、情報漏洩の防止を図りつつ、ユーザ認証処理負担を軽減することが可能となる。
【００９７】
また、上記実施形態１によれば、印刷装置１０は、特定した「外側印刷面領域」にオブジェクトデータが配置されない場合には、ユーザ認証の設定が有効であっても、ユーザ認証を行うことなく印刷処理を開始した。一方、特定した「外側印刷面領域」にオブジェクトデータが配置される場合には、印刷装置１０は、ユーザ認証の設定が無効であっても、ユーザ認証が行なわれた後に印刷処理を開始した。このように構成することで、封筒Ｆに印刷用紙ＰＰを封入した際に一番外側になる面にデータが印刷される場合には、印刷装置１０で、ユーザ認証が行われた後に印刷処理を開始することから、情報の漏洩の防止を図ることが可能となる。
【００９８】
また、上記実施形態１によれば、印刷装置１０は、「外側印刷面領域」が存在しない場合には、ユーザ認証の設定が有効であっても、ユーザ認証を行うことなく、印刷処理を開始した。このように構成することで、封筒Ｆに印刷用紙ＰＰを封入した際に一番外側になる面が印刷面で無い場合には、ユーザ認証は行われずに印刷処理が開始されることとなる。これにより、封筒Ｆの外側から内容が透けて見える可能性が極めて低い場合には、ユーザ認証を省くことが可能となる。
【００９９】
また、上記実施形態１によれば、印刷装置１０は、ユーザ認証が必要な場合に、ユーザ認証を行うよう指示する指示情報を生成し、処理対象のジョブデータを出力した情報端末装置２０へ送信した。このように構成することで、指示情報を受信した情報端末装置２０は、ユーザに対して、ユーザ認証を行うよう指示することが可能となる。これにより、例えば、認証設定が無効となっている場合に、設定が変更され、印刷処理を開始させるためにユーザ認証が必要になった場合であっても、ユーザはすぐに対処することが可能となる。その結果、処理の遅延を防止することが可能となる。
【０１００】
（実施形態２）
上記実施形態１においては、「外側印刷面領域」にオブジェクトデータが配置される場合には、ユーザ認証を行うように構成した。
【０１０１】
本実施形態２においては、処理対象のジョブデータがバリアブル印刷に関するジョブデータの場合には、「外側印刷面領域」に配置されるオブジェクトデータの中に可変データがある場合のみ、ユーザ認証を行うように構成する。これは、可変データは、個人情報やパスワードなど機密情報に関するデータである可能性が極めて高いからである。そのため、「外側印刷面領域」に可変データが配置される場合には、印刷装置１０においてユーザ認証を行わせることで、情報の漏洩を防止する。
【０１０２】
本実施形態２における印刷装置１０の基本的な構成は、実施形態１の場合と同じである。但し、本実施形態２においては、制御部１７が、図１０に示すように、抽出部１７ｊを更に備える点で、実施形態１の場合と異なっている。また、判定部１７ａが果たす機能が、実施形態１の場合と異なっている。
【０１０３】
判定部１７ａは、更に、処理対象のジョブデータがバリアブル印刷に関するジョブデータか否かを判定する。また、判定部１７ａは、更に、抽出部１７ｊにより可変データが抽出されたか否かを判定する。
【０１０４】
抽出部１７ｊは、ジョブデータがバリアブル印刷に関するジョブデータである場合には、ジョブデータに含まれるレイアウト情報に基づいて、外側印刷面領域特定部１７ｆにより特定された「外側印刷面領域」に配置されるオブジェクトデータを特定し、特定したオブジェクトデータの中から、可変データを抽出する。オブジェクトデータが、定型データか、それとも、可変データかの判定は、ジョブデータを解析することで可能である。
【０１０５】
次に、図１１を参照して、本実施形態２における認証設定制御処理について説明する。図１１は、本実施形態２における認証設定制御処理のフローを説明するためのフローチャートの例の一部である。本認証設定制御処理は、情報端末装置２０により出力されるジョブデータの受信をトリガとして開始される。
【０１０６】
本実施形態２における認証設定制御処理では、ステップＳ００９迄の処理については実施形態１の場合と同じであることから、それ以降の処理について以下説明する。
【０１０７】
「外側印刷面領域」にオブジェクトデータが配置されると判定した場合には（ステップＳ００９；ＹＥＳ）、判定部１７ａは、更に、処理対象のジョブデータがバリアブル印刷に関するジョブデータか否かを判定する（ステップＳ６０１）。判定部１７ａにより、処理対象のジョブデータはバリアブル印刷に関するジョブデータではないと判定された場合には（ステップＳ６０１；ＮＯ）、処理は実施形態１において説明したステップＳ０１０の処理へと進み、それ以降の処理は実施形態１の場合と同じである。
【０１０８】
一方、判定部１７ａにより、処理対象のジョブデータがバリアブル印刷に関するジョブデータであると判定された場合には（ステップＳ６０１；ＹＥＳ）、抽出部１７ｊは、ジョブデータに含まれるレイアウト情報に基づいて、ステップＳ００８の処理で外側印刷面領域特定部１７ｆにより特定された「外側印刷面領域」に配置されるオブジェクトデータを特定し、特定したオブジェクトデータの中から、可変データを抽出する（ステップＳ６０２）。
【０１０９】
そして、判定部１７ａは、抽出部１７ｊにより可変データが抽出されたか否かを判定する（ステップＳ６０３）。判定部１７ａにより、可変データが抽出されたと判定された場合には（ステップＳ６０３；ＹＥＳ）、処理はステップＳ０１０の処理へと進み、それ以降の処理は実施形態１の場合と同じである。
【０１１０】
一方、可変データは抽出されなかったと判定した場合には（ステップＳ６０３；ＮＯ）、判定部１７ａは、更に、認証管理テーブルＴ２を参照して、認証設定は有効か否かを判定する（ステップＳ６０４）。判定部１７ａにより、認証設定は無効であると判定された場合には（ステップＳ６０４；ＮＯ）、プリンタ部１５は印刷処理を開始する（ステップＳ０１５）。そして、印刷された印刷用紙ＰＰは、封入封緘装置３０により封筒Ｆに封入封緘され、印刷された印刷用紙ＰＰは封筒Ｆに封入封緘された状態でトレイ上に排出される。
【０１１１】
一方、判定部１７ａにより、認証設定は有効であると判定された場合には（ステップＳ６０４；ＹＥＳ）、設定制御部１７ｇは、処理対象のジョブデータにおける認証設定を無効にする（ステップＳ６０５）。そして、ユーザ認証は行われることなく、プリンタ部１５は印刷処理を開始し（ステップＳ０１５）、印刷された印刷用紙ＰＰは、封入封緘装置３０により封筒Ｆに封入封緘され、印刷された印刷用紙ＰＰは封筒Ｆに封入封緘された状態でトレイ上に排出される。
【０１１２】
次に、図８を参照して、具体例に従って、本実施形態２における認証設定制御処理について説明する。
【０１１３】
なお、本例においては、処理対象のジョブデータに封入封緘指定が含まれており、バリアブル印刷に関するジョブデータであるものとする。また、ジョブデータを処理し印刷用紙ＰＰに印刷すると、図８に示すようになるものとする。つまり、「印刷面種別」は両面印刷であり、封入枚数は一枚であるものとする。また、指定されている「折り種別」は外三つ折りであり、管理テーブルＴ１は、図３に示すものであるとする。また、認証設定は無効になっているものとし、図８の領域３Ａ−１に配置されているオブジェクトデータは可変データであるものとする。
【０１１４】
ジョブデータを受信すると（ステップＳ００１；ＹＥＳ）、受信したジョブデータには封入封緘指定が含まれており（ステップＳ００２；ＹＥＳ）、指定されている「折り種別」は外三つ折りであることから、折り種別特定部１７ｂ、「折り種別」として外三つ折りを特定する（ステップＳ００３）。
【０１１５】
そして、「印刷面種別」は両面印刷であることから、印刷面種別特定部１７ｃは、「印刷面種別」として両面印刷を特定する（ステップＳ００４）。図３に示す管理テーブルＴ１を参照すると、外三つ折りと両面印刷との組合せに対応する「フラグ」のフラグ値は“１”である（ステップＳ００５）。従って、判定部１７ａにより、「外側印刷面領域」が存在すると判定され（ステップＳ００６；ＹＥＳ）、封入枚数は一枚であることから（ステップＳ００７）、外側印刷面領域特定部１７ｆは、図３に示す管理テーブルＴ１の「一枚」欄を検索して、外三つ折りと両面印刷との組合せに対応する「外側印刷面領域」を特定する。すなわち、外側印刷面領域特定部１７ｆは、「外側印刷面領域」として、領域３Ａ−１と領域３Ｂ−３を特定する（ステップＳ００８）。
【０１１６】
図８を参照すると、領域３Ａ−１と領域３Ｂ−３のいずれの領域にもオブジェクトデータが配置されている（ステップＳ００９；ＹＥＳ）。また、処理対象のジョブデータはバリアブル印刷に関するジョブデータであり（ステップＳ６０１；ＹＥＳ）、外側印刷面領域特定部１７ｆにより、「外側印刷面領域」として特定された領域３Ａ−１に配置されているオブジェクトデータは、可変データである（ステップＳ６０３；ＹＥＳ）。また、認証設定は無効であることから（ステップＳ０１０；ＮＯ）、設定制御部１７ｇは、本ジョブデータにおける認証設定を有効する（ステップＳ４０１）。
【０１１７】
そして、情報生成部１７ｈは、ユーザ認証を行うよう指示する指示情報を生成し、通信部１１を介して、生成した指示情報を処理対象のジョブデータを出力した情報端末装置２０へ送信する（ステップＳ０１１）。指示情報を受信した情報端末装置２０は、例えば、表示画面上に、ユーザ認証を行うよう示すメッセージを表示する。このメッセージを見たユーザは、印刷装置１０の認証情報取得部１６にＩＣカードをかざして、ユーザ認証を行う（ステップＳ０１２；ＹＥＳ）。
【０１１８】
認証処理部１７ｉは、認証情報取得部１６により取得された認証情報に基づいて、認証処理を実行し（ステップＳ０１３）、認証可と判定する（ステップＳ０１４；ＹＥＳ）。プリンタ部１５は印刷処理を開始し（ステップＳ０１５）、印刷された印刷用紙ＰＰは、封入封緘装置３０により封筒Ｆに封入封緘され、印刷された印刷用紙ＰＰは封筒Ｆに封入封緘された状態でトレイ上に排出される。
【０１１９】
次に、同じく図８を参照して、別の具体例に従って、本実施形態２における認証設定制御処理について説明する。
【０１２０】
なお、本例においては、処理対象のジョブデータに封入封緘指定が含まれており、バリアブル印刷に関するジョブデータであるものとする。また、ジョブデータを処理し印刷用紙ＰＰに印刷すると、図８に示すようになるものとする。つまり、「印刷面種別」は両面印刷であり、封入枚数は一枚であるものとする。また、指定されている「折り種別」は内三つ折りであり、管理テーブルＴ１は、図３に示すものであるとする。また、認証設定は有効になっているものとし、可変データは、図８の領域３Ａ−１に配置されているオブジェクトデータのみであるものとする。
【０１２１】
ジョブデータを受信すると（ステップＳ００１；ＹＥＳ）、受信したジョブデータには封入封緘指定が含まれており（ステップＳ００２；ＹＥＳ）、指定されている「折り種別」は内三つ折りであることから、折り種別特定部１７ｂ、「折り種別」として内三つ折りを特定する（ステップＳ００３）。
【０１２２】
そして、「印刷面種別」は両面印刷であることから、印刷面種別特定部１７ｃは、「印刷面種別」として両面印刷を特定する（ステップＳ００４）。図３に示す管理テーブルＴ１を参照すると、内三つ折りと両面印刷との組合せに対応する「フラグ」のフラグ値は“１”である（ステップＳ００５）。従って、判定部１７ａにより、「外側印刷面領域」が存在すると判定され（ステップＳ００６；ＹＥＳ）、封入枚数は一枚であることから（ステップＳ００７）、外側印刷面領域特定部１７ｆは、図３に示す管理テーブルＴ１の「一枚」欄を検索して、外三つ折りと両面印刷との組合せに対応する「外側印刷面領域」を特定する。すなわち、外側印刷面領域特定部１７ｆは、「外側印刷面領域」として、領域３Ｂ−１と領域３Ｂ−２を特定する（ステップＳ００８）。
【０１２３】
図８を参照すると、領域３Ｂ−１と領域３Ｂ−２のいずれの領域にもオブジェクトデータが配置されており（ステップＳ００９；ＹＥＳ）、処理対象のジョブデータはバリアブル印刷に関するジョブデータである（ステップＳ６０１；ＹＥＳ）。しかしながら、外側印刷面領域特定部１７ｆにより、「外側印刷面領域」として特定された領域３Ｂ−１と領域３Ｂ−２に配置されているオブジェクトデータは、可変データではなく（ステップＳ６０３；ＮＯ）、認証設定は有効であることから（ステップＳ６０４；ＹＥＳ）、設定制御部１７ｇは、本ジョブデータにおける認証設定を無効する（ステップＳ６０５）。
【０１２４】
そして、ユーザ認証は行われることなく、プリンタ部１５は印刷処理を開始し（ステップＳ０１５）、印刷された印刷用紙ＰＰは、封入封緘装置３０により封筒Ｆに封入封緘され、印刷された印刷用紙ＰＰは封筒Ｆに封入封緘された状態でトレイ上に排出される。
【０１２５】
上記実施形態２によれば、「外側印刷面領域」にオブジェクトデータが配置され、処理対象のジョブデータがバリアブル印刷に関するジョブデータの場合に、印刷装置１０は、「外側印刷面領域」に配置されるオブジェクトデータの中から、可変データを抽出した。そして、可変データが抽出されなかった場合には、認証設定が有効であっても、ユーザ認証を行うことなく、印刷処理を開始した。このように構成することで、機密情報に該当する可能性が極めて低い定型データのみが「外側印刷面領域」に配置される場合には、ユーザ認証を行うことなく、印刷処理を開始することから、ユーザ認証処理負担を軽減させ、ユーザの利便性を更に向上させることが可能となる。また、不必要なユーザ認証を省くことが可能となることから、ジョブデータの出力から結果物を得るまでの処理時間を短縮することが可能となり、生産性を更に高めることが可能となる。
【０１２６】
また、上記実施形態２によれば、「外側印刷面領域」にオブジェクトデータが配置され、処理対象のジョブデータがバリアブル印刷に関するジョブデータの場合に、印刷装置１０は、「外側印刷面領域」に配置されるオブジェクトデータの中から、可変データを抽出した。そして、可変データが抽出された場合には、認証設定が無効であっても、ユーザ認証を行なった後に、印刷処理を開始した。このように構成することで、機密情報に該当する可能性が極めて高い可変データが「外側印刷面領域」に配置される場合には、ユーザ認証が行われた後に、印刷処理を開始することから、情報の漏洩を防止することが可能となる。
【０１２７】
（実施形態３）
上記実施形態１又は２においては、ジョブデータに封入封緘指定が含まれておらず、認証設定が無効になっている場合には、そのまま、ユーザ認証を行うことなく、印刷処理を開始させた。
【０１２８】
本実施形態３においては、ジョブデータに封入封緘指定が含まれておらず、認証設定が無効になっている場合には、印刷装置１０は、後述の開始情報を生成して、処理対象のジョブデータを出力した情報端末装置２０へ送信する。そして、所定時間経過後に、ユーザ認証を行うことなく、印刷処理を開始させるように構成する。
【０１２９】
なお、本構成は、実施形態１又は２のいずれに対しても適用可能であることから、ここでは、実施形態１に対して本構成を適用した場合を例に、以下説明する。
【０１３０】
本実施形態３における印刷装置１０の基本的な構成は、実施形態１の場合と同じである。但し、本実施形態３においては、制御部１７が、図１２に示すように、タイマ１７ｋを更に備える点で、実施形態１の場合と異なっている。また、判定部１７ａと情報生成部１７ｈが果たす機能が、実施形態１の場合と異なっている。
【０１３１】
判定部１７ａは、更に、タイマ１７ｋがタイムアウト（所定時間経過）したか否かを判定する。
【０１３２】
情報生成部１７ｈは、更に、ジョブデータに封入封緘指定が含まれておらず、認証設定が無効になっている場合には、認証設定は無効である旨と所定時間（例えば、６０秒）経過後に印刷処理を開始する旨を通知するための開始情報を生成し、通信部１１を介して、生成した開始情報を、処理対象のジョブデータを出力した情報端末装置２０に送信する。開始情報を受信した情報端末装置２０は、例えば、認証設定は無効である旨と所定時間経過後に印刷が開始される旨を、表示画面上に表示する。これにより、該情報端末装置２０のユーザは、必要に応じて、印刷装置１０が設置されている場所に行って、印刷処理を監視することが可能となる。
【０１３３】
タイマ１７ｋは、開始情報を送信してから所定時間経過したか否かを管理するためのタイマであり、制御部１７によりスタートされる。
【０１３４】
次に、図１３を参照して、本実施形態３における認証設定制御処理について説明する。図１３は、本実施形態３における認証設定制御処理のフローを説明するためのフローチャートの例の一部である。本認証設定制御処理は、情報端末装置２０により出力されるジョブデータの受信をトリガとして開始される。
【０１３５】
なお、本実施形態３における認証設定制御処理では、ステップＳ２０１の処理でＮＯと判定された場合の処理以外は、実施形態１において説明した処理と同じであることから、ステップＳ２０１以降の処理について、以下に説明する。
【０１３６】
判定部１７ａは、認証管理テーブルＴ２を参照して、認証設定は有効か否かを判定する（ステップＳ２０１）。判定部１７ａにより、認証設定は有効であると判定された場合には（ステップＳ２０１；ＹＥＳ）、処理は実施形態１で説明したステップＳ０１１の処理へと進む。
【０１３７】
一方、判定部１７ａにより、認証設定は無効であると判定された場合には（ステップＳ２０１；ＮＯ）、情報生成部１７ｈは、認証設定は無効である旨と所定時間経過後に印刷処理を開始する旨を通知するための開始情報を生成し、通信部１１を介して、生成した開始情報を、処理対象のジョブデータを出力した情報端末装置２０に送信する（ステップＳ７０１）。
【０１３８】
そして、制御部１７は、タイマ１７ｋをスタートさせ（ステップＳ７０２）、判定部１７ａは、タイムアウトしたか否かを判定する（ステップＳ７０３）。判定部１７ａにより、まだタイムアウトしていないと判定された場合には（ステップＳ７０３；ＮＯ）、処理はステップＳ７０３の処理を繰り返して、タイムアウトするのを待つ。
【０１３９】
一方、判定部１７ａにより、タイムアウトしたと判定された場合には（ステップＳ７０３；ＹＥＳ）、ユーザ認証は行われることなく、プリンタ部１５は印刷処理を開始する（ステップＳ０１５）。そして、印刷された印刷用紙ＰＰは、封入封緘装置３０により封筒Ｆに封入封緘されることなく、トレイ上に排出される。
【０１４０】
上記実施形態３によれば、ジョブデータに封入封緘指定が含まれておらず、認証設定が無効になっている場合に、印刷装置１０は、所定時間の経過を待って、ユーザ認証を行うことなく、印刷処理を開始した。このように構成することで、例えば、認証設定が誤って無効となっており、印刷物に機密情報が含まれている場合であっても、ユーザは、印刷処理が開始される前に、印刷装置１０が設定されている場所に行くことができ、情報の漏洩を防止することが可能となる。また、所定時間経過したら、ユーザ認証は行われることなく、印刷処理が開始されることから、認証設定が誤っていない場合には、ユーザは、印刷処理を開始させるために印刷装置１０が設置されている場所に行く必要がないため、ユーザの利便性を損なうこともない。
【０１４１】
また、上記実施形態３によれば、ジョブデータに封入封緘指定が含まれておらず、認証設定が無効になっている場合に、印刷装置１０は、認証設定は無効である旨と所定時間経過後に印刷処理を開始する旨を通知するための開始情報を生成して、処理対象のジョブデータを出力した情報端末装置２０へ送信した。このように構成することで、開始情報を受信した情報端末装置２０は、認証設定は無効である旨と所定時間経過後に印刷処理を開始する旨を、ユーザに報知することが可能となる。
【０１４２】
なお、上記実施形態１乃至３において、印刷後の印刷用紙ＰＰを封筒Ｆに封入封緘する機能を備える印刷装置１０により上記機能を実現するように構成してもよい。    
【０１４３】
また、上記実施形態１乃至３において、認証設定制御処理のステップＳ００９の処理で、「外側印刷面領域」にオブジェクトデータが配置される場合に、例えば、その配置されるオブジェクトデータが印刷される際にメインとなる色彩を検出し、検出した色彩と印刷物（印刷後の印刷用紙ＰＰ）を封入する封筒Ｆの厚みや色との組合せに応じて、認証設定を変更するように構成してもよい。
【０１４４】
また、上記実施形態１乃至３において、指示生成部１７ｈは、ユーザ認証が必要な場合に、ユーザ認証を行うよう指示する指示情報を生成し、情報端末装置２０へ送信し、指示情報を受信した情報端末装置２０は、例えば、表示画面上に、ユーザ認証を行うよう示すメッセージを表示すると説明した。しかしながら、これに限定されるものではなく、例えば、指示情報を受信した情報端末装置２０は、音声でその旨を報知してもよいし、所定のＬＥＤライトを点灯させることで、その旨を報知するようにしてもよく、ユーザ認証が必要なことがユーザに伝えられるような方法であればよい。
【０１４５】
また、上記実施形態１乃至３において、認証処理の結果が認証不可の場合に、表示部１３は、再度ユーザ認証を行うよう示すメッセージを、表示画面上に表示すると説明した。この場合も同様に、印刷装置１０は、音声でその旨を報知してもよいし、所定のＬＥＤライトを点灯させることで、その旨を報知するようにしてもよく、ユーザ認証に失敗したため再度ユーザ認証が必要なことが、ユーザに伝えられるような方法であればよい。
【０１４６】
また、上記実施形態３において、指示生成部１７ｈは、ジョブデータに封入封緘指定が含まれておらず、認証設定が無効になっている場合に、所定時間経過後に印刷処理を開始する旨を通知するための開始情報を生成し、情報端末装置２０に送信し、開始情報を受信した情報端末装置２０は、例えば、表示画面上に、所定時間経過後に印刷が開始される旨を、表示画面上に表示すると説明した。この場合も同様に、例えば、開始情報を受信した情報端末装置２０は、音声でその旨を報知してもよく、所定時間経過後に印刷処理を開始されることがユーザに伝えられるような方法であればよい。
【０１４７】
また、上記実施形態１乃至３において、封入封緘装置３０が複数の折り機構を備える場合などには、対応する複数種の管理テーブルＴ１を保持するように構成してもよい。
【０１４８】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magnet Optical disk）などのコンピュータで読み取り可能な記録媒体に記憶して配布し、これを印刷装置１０のコンピュータにインストールすることにより、上述の処理を実行するように構成してもよい。さらに、インターネット上のサーバ装置が有するディスク装置等にプログラムを記憶しておき、例えば、搬送波に重畳させて、コンピュータにダウンロード等するものとしてもよい。
【０１４９】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【０１５０】
１００          印刷システム
１０            印刷装置
１１            通信部
１２            記憶部
１３            表示部
１４            操作部
１５            プリンタ部
１６            認証情報取得部
１７            制御部
１７ａ          判定部
１７ｂ          折り種別特定部
１７ｃ          印刷面種別特定部
１７ｄ          フラグ特定部
１７ｅ          封入枚数特定部
１７ｆ          外側印刷面領域特定部
１７ｇ          設定制御部
１７ｈ          情報生成部
１７ｉ          認証処理部
１７ｊ          抽出部
１７ｋ          タイマ
２０            情報端末装置
３０            封入封緘装置
ＮＷ            ネットワーク
Ｔ１            管理テーブル
Ｔ２            認証管理テーブル
ＰＰ            印刷用紙
Ｌ              折り目線
ＵＥ            印刷用紙の上端
ＬＥ            印刷用新の下端
２Ａ−１〜２    二つ折り時の表面の分割領域
２Ｂ−１〜２    二つ折り時の裏面の分割領域
３Ａ−１〜３    三つ折り時の表面の分割領域
３Ｂ−１〜３    三つ折り時の裏面の分割領域
【図１】
2015011410.tif 000003
【図２】
2015011410.tif 000004
【図３】
2015011410.tif 000005
【図４】
2015011410.tif 000006
【図５】
2015011410.tif 000007
【図６】
2015011410.tif 000008
【図７】
2015011410.tif 000009
【図１０】
2015011410.tif 000010
【図１１】
2015011410.tif 000011
【図１２】
2015011410.tif 000012
【図１３】
2015011410.tif 000013
【図８】
2015011410.tif 000014
【図９】
2015011410.tif 000015